(57)【要約】  本発明の１つの態様において、内蔵されるメモリ内にストアされた画像、ディスプレイ・デバイス・コントローラ、およびストアされた画像を表示するための画像ディスプレイを有するディスプレイ・デバイスとともに使用するためのプリンタが提供される。このプリンタは、協働して画像に従う形で受け側媒体に対する提供側材料の転写を生じさせるべく適合された印刷エンジンおよび受け側媒体移送機構を収容する外部構造、ディスプレイ・デバイスの電気コネクタが電気インターフェースと電気接続を形成できるようにディスプレイ・デバイスを受け入れ、かつディスプレイ・デバイスを位置決めするべく適合されたディスプレイ・デバイス・インターフェース、および画像ディスプレイ上に呈示されるものに影響を与える信号をディスプレイ・デバイス・コントローラに送信するべく適合されたプリンタ・プロセッサを包含し、ディスプレイ・デバイス・インターフェースが外部構造に対して調整可能にマウントされる。
2009520615.tif 000002
【特許請求の範囲】
【請求項１】
内蔵されるメモリ内にストアされた画像、ディスプレイ・デバイス・コントローラ、および前記ストアされた画像を表示するための画像ディスプレイを有するディスプレイ・デバイスとともに使用するためのプリンタであって、
協働して画像に従う形で受け側媒体に対する提供側材料の転写を生じさせるべく適合された印刷エンジンおよび受け側媒体移送機構を収容する外部構造と、
ディスプレイ・デバイスの電気コネクタが電気インターフェースと電気接続を形成して前記プリンタと前記ディスプレイ・デバイスの間に電気接続を提供できるように前記ディスプレイ・デバイスを受け入れ、かつ前記ディスプレイ・デバイスを位置決めするべく適合されたディスプレイ・デバイス・インターフェースと、
前記画像ディスプレイ上に呈示されるものに影響を与える信号を前記ディスプレイ・デバイス・コントローラに送信するべく適合されたプリンタ・プロセッサと、
を有し、
前記ディスプレイ・デバイス・インターフェースは、前記プリンタと前記ディスプレイ・デバイスの間における電気接続を維持しつつ、前記ディスプレイ・デバイス・インターフェースを前記プリンタの前記外部構造に対するポジションの範囲の間において移動可能な形で前記外部構造に調整可能にマウントされ、その結果、前記プリンタと接続された関係にある間、前記プリンタの前記外部構造に対して１を超えるポジションに画像ディスプレイが位置決めされることが可能となるプリンタ。
【請求項２】
前記プリンタは、さらに、ユーザ・インターフェース・コントロールのセットを有し、少なくともその１つが前記ディスプレイ・デバイス・インターフェース上に配置され、その結果、前記ディスプレイ・デバイス・インターフェースが移動されるとき、前記ユーザ・インターフェース・コントロールのうちの少なくとも１つの前記ポジションが移動される、請求項１に記載のプリンタ。
【請求項３】
前記プリンタは、さらに、ステータス表示器のセットを有し、少なくともその１つが前記ディスプレイ・デバイス・インターフェース上に配置され、その結果、前記ディスプレイ・デバイス・インターフェースが移動されるとき、前記ステータス表示器のうちの少なくとも１つの前記ポジションが移動される、請求項１に記載のプリンタ。
【請求項４】
さらに、ともに移動するために上にユーザ・コントロールが位置決めされた調整表面を包含し、前記ユーザ・コントロール調整表面は、さらに、前記外部ハウジングに関して、かつ前記ディスプレイ・デバイス・インターフェースに関して移動可能にマウントされており、その結果、前記ユーザ入力コントロールの前記ポジションが、前記カメラ受け入れエリアの前記ポジションおよび前記外部ハウジングに関して調整可能となる、請求項１に記載のプリンタ。
【請求項５】
前記ディスプレイ・デバイス・インターフェースは、前記外部ハウジングに回転可能にマウントされる、請求項１に記載のプリンタ。
【請求項６】
さらに、ともに移動するために上にステータス表示器が位置決めされた調整表面を有し、
前記調整表面は、さらに、前記外部ハウジングに関して、かつ前記ディスプレイ・デバイス・インターフェースに関して移動可能にマウントされており、その結果、前記ステータス表示器の前記ポジションが、前記カメラ受け入れエリアの前記ポジションおよび前記外部ハウジングに関して調整可能となり、前記調整表面は、前記ディスプレイ・デバイス・インターフェースの回転の軸周りの回転のために前記外部ハウジングに回転可能にマウントされる、請求項５に記載のプリンタ。
【請求項７】
前記外部ハウジングは、水平寸法、垂直寸法、および奥行き寸法を有し、前記寸法のうちの少なくとも１つがほかの寸法と異なるサイズであり、
前記ディスプレイ・デバイス・インターフェースは、前記カメラ・ディスプレイを、前記カメラ・ディスプレイが前記水平、垂直、および奥行きの寸法のうちの少なくとも２つから見ることが可能なように位置決めするべく適合されている、請求項１に記載のプリンタ。
【請求項８】
前記プリンタは、さらに、前記ディスプレイ・デバイス・インターフェースのポジションを検知するべく適合された少なくとも１つのセンサを有し、
前記プロセッサは、前記ディスプレイ・デバイス・インターフェースが特定のポジション内にあるとき検知し、前記ディスプレイ・デバイスがその種のポジションにある場合、前記プロセッサは、前記ディスプレイ・デバイスの前記画像ディスプレイ・デバイスに、前記画像ディスプレイ・デバイスの少なくとも部分内において、ユーザ・入力を表す画像またはステータス表示器を表す画像のうちの少なくとも１つを呈示させる信号を前記ディスプレイ・デバイスに送信するべく適合されている、請求項１に記載のプリンタ。
【請求項９】
前記プロセッサは、さらに、ディスプレイ・デバイス・コントロール・システムと協働し、前記ディスプレイ・デバイス上のコントロール・システムから、ユーザがタッチ・スクリーン・タイプの画像ディスプレイのユーザ入力を表す画像に関連付けされた部分に接触したことを示す信号を獲得するべく適合され、かつ前記プロセッサは、その種の動作がユーザ入力動作を示していると解釈するべく適合されている、請求項８に記載のプリンタ。
【請求項１０】
前記ディスプレイ・デバイスは、ディジタル・カメラ、写真ビューア、携帯情報端末、携帯電話、マルチメディア・ディスプレイ・デバイス、またはビデオ録画装置のうちの少なくとも１つを包含する、請求項１に記載のプリンタ。
【請求項１１】
印刷エンジンおよび画像を印刷するための受け側媒体移送路を保持するプリンタ・ハウジング、および前記ハウジングに結合されたドッキング・インターフェースであって、ディジタル・カメラを、カメラの電気コネクタが前記ドッキング・ステーション内の電気インターフェースと電気的に係合して位置決めされることが可能となるように受け入れるべく形状設定されたドッキング・インターフェースと、
前記ディジタル・カメラ内のコントロール・システムに対する信号の伝達を、前記ディジタル・カメラの前記コントロール・システムに前記伝達される信号に基づいて前記ディスプレイ上に画像を呈示させる態様で生じさせるべく適合されたプロセッサと、
を有し、
前記ドッキング・インターフェースは、前記外部表面に回転可能にマウントされ、前記電気コネクタが、前記プリンタ内において、前記電気インターフェースと前記電気コネクタの間における電気接続を維持しつつ、前記ドッキング表面が前記ハウジングに対して複数のポジションに回転することを可能にする形で接続される、プリンタおよびディジタル・カメラ・システム。
【請求項１２】
前記プリンタ・プロセッサは、前記画像ディスプレイ上における呈示のための画像を、前記ハウジングに対する前記ドッキング・インターフェースのポジションに基づいて決定する、請求項１１に記載のプリンタ。
【請求項１３】
前記プリンタは、入力コントロールのセットおよびステータス表示器のセットのうちの少なくとも１つを包含し、前記入力コントロールのセットまたは前記ステータス表示器のセットのうちの少なくともいくつかが、前記ドッキング・インターフェース上に位置決めされる、請求項１１に記載のプリンタ。
【請求項１４】
さらに、前記ハウジングに結合され、前記ハウジングおよび前記ドッキング・インターフェースに対して移動可能な表面を有し、
前記表面は、その上に少なくとも１つのステータス表示器または少なくとも１つのユーザ入力コントロールを有する、請求項１１に記載のプリンタ。
【請求項１５】
さらに、前記ディジタル・カメラ内の無線通信システムとデータを交換するべく適合された無線通信回路を有し、その結果、前記プロセッサと前記カメラ・コントロール・システムの間における前記通信の少なくともいくつかが無線で生じることが可能になる、請求項１１に記載のプリンタ。
【請求項１６】
前記ディスプレイ・インターフェースは、前記ハウジングに対する異なる角度、前記ハウジングに対する異なる高さ、または前記プリンタの長さまたは幅の寸法のいずれかに沿った異なるポジションを含む異なるポジションのセットで前記ディジタル・カメラが保持されることを可能にするべく形状設定された接触表面を包含する、請求項１１に記載のプリンタ。
【請求項１７】
ディスプレイ・デバイスとともに使用するためのプリンタであって、
前記ディスプレイ・デバイスの電気コネクタと結合し、かつそれとともに電気接続を形成するべく適合された電気インターフェースを有するドッキング表面と、
前記電気接続を維持しつつ、前記ディスプレイ・デバイスを回転するための回転手段と、
前記ディスプレイ・デバイスに、前記ディスプレイ・デバイスのディスプレイ上に呈示されるものに影響を及ぼす信号を送信するための駆動手段と、
を有するプリンタ。
【発明の詳細な説明】
【技術分野】
【０００１】
本発明は、ディジタル・カラー・プリンタに関し、より詳細にはディスプレイ・デバイスを受け入れ、かつ協働するディジタル・カラー・プリンタに関する。
【背景技術】
【０００２】
伝統的に、家庭用プリンタおよび多くの商業グレードのプリンタは、受け側媒体がユーザ・コントロールと平行な方向に整列される印刷経路を有する態様でアレンジされている。これは、ユーザがプリンタの一般的な『フロント・エンド』に向かっている間に好都合に受け側媒体を装填し、印刷済み画像を取り出し、コントロールにアクセスすることを可能にする。したがって、ほとんどのユーザは、『フロント・エンド』が外方に向いてユーザと直面するように、その種のプリンタを収納のおもて面に配置することを試みる。しかしながらこの配置は、その種のプリンタが『フロント・エンド』に至る長い軸を有するとき、その種のプリンタを従来的な奥行きが比較的短い棚ユニット上に、プリンタの『フロント・エンド』が棚の縁を越えることなく収納することが困難となり得ることから問題を招くおそれがある。しかしながらその種の長い軸を伴うプリンタを棚の長さと平行に収納することは、ユーザ・コントロールへのアクセスおよび使用を困難にする。この状況をさらに複雑にすることは、プリンタの位置決めが、感熱リボン、インク、およびトナー等の提供側材料の容易な再装填を可能にする方法でプリンタを配置する必要性をはじめ、適切な通気およびコード／ケーブルのアクセスを提供する必要性といったファクタによっても影響を受ける可能性である。したがって、プリンタのユーザが、特定の収納エリア内におけるプリンタの配置にほとんど融通性を有していなく、プリンタのコントロールにアクセスが困難なポジションでプリンタを配置していることがある。
【０００３】
プリンタがステータス表示器または画像ディスプレイを装備しているとき、それらの表示器および／または画像ディスプレイもまた、一般にプリンタの『フロント・フェイス』から見られるように配置されることから類似の問題が生じる。たとえば、特許文献１の中で述べられているとおり、ディジタル・プリンタは、印刷されるべき画像をユーザが選択すること、およびそのほかの機能を行うことを可能にするプリンタのグラフィカル・ユーザ・インターフェース（ＧＵＩ）の部分としてカラーＬＣＤ等の画像ディスプレイを含むことができる。しかしながら、その種のディスプレイは、通常、『フロント・エンド』だけに面している。
【０００４】
このタイプに伴う別の問題は、プリンタが、携帯電話、ディジタル・カメラ、写真ビューア、個人用ディスプレイ・デバイス、ハンドヘルド・パーソナル・コンピュータ、または類似のアイテム等のディスプレイ・デバイスをドッキング・ステーション、クレードル、または類似の構造内に受け入れ、プリンタと被ドッキング・ディスプレイ・デバイスの間の協働を可能にするべく設計されたいわゆる『ドッキング・プリンタ』であるときに生じる。通常、その種のドッキング・プリンタは、『フロント・エンド』に立っている者によって装填されるディスプレイ・デバイスを受け入れるべく適合されており、したがっていくつかのプリンタの場合、ユーザがプリンタに面して立つことが不可能であれば、その種のディスプレイ・デバイスをドッキングすることがさらに困難となるおそれがある。これは、それらのデバイスがドッキングされる頻度を低下させ、したがってその組み合わせの事実上の有用性を低下させる。
【０００５】
この分野で必要とされているものは、プリンタと被ドッキング・ディスプレイ・デバイスの組み合わせによって提供される特徴セットを犠牲にすることなく、より多くの配向の柔軟性およびカスタム化を提供できるドッキング・プリンタである。
【０００６】
【特許文献１】米国特許出願第０９／５７０，０８９号明細書
【発明の開示】
【課題を解決するための手段】
【０００７】
本発明の１つの態様においては、内蔵されるメモリ内にストアされた画像、ディスプレイ・デバイス・コントローラ、およびストアされた画像を表示するための画像ディスプレイを有するディスプレイ・デバイスとともに使用するためのプリンタが提供される。このプリンタは、協働して画像に従う形で受け側媒体に対する提供側材料の転写を生じさせるべく適合された印刷エンジンおよび受け側媒体移送機構を収容する外部構造、ディスプレイ・デバイスの電気コネクタが電気インターフェースと電気接続を形成してプリンタとディスプレイ・デバイスの間に電気接続を提供できるようにディスプレイ・デバイスを受け入れ、かつディスプレイ・デバイスを位置決めするべく適合されたディスプレイ・デバイス・インターフェース、および画像ディスプレイ上に呈示されるものに影響を与える信号をディスプレイ・デバイス・コントローラに送信するべく適合されたプリンタ・プロセッサを包含し、ディスプレイ・デバイス・インターフェースが、プリンタとディスプレイ・デバイスの間における電気接続を維持しつつ、ディスプレイ・デバイス・インターフェースをプリンタの外部構造に対するポジションの範囲の間において移動可能な形で外部構造に調整可能にマウントされ、その結果、プリンタと接続された関係にある間、プリンタの外部構造に対して１を超えるポジションに画像ディスプレイが位置決めされることが可能となる。
【０００８】
本発明の別の態様においては、プリンタおよびディジタル・カメラ・システムが提供される。プリンタは、印刷エンジンおよび画像を印刷するための受け側媒体移送路を保持するプリンタ・ハウジング、およびハウジングに結合されたドッキング・インターフェースであって、ディジタル・カメラを、カメラの電気コネクタがドッキング・ステーション内の電気インターフェースと電気的に係合して位置決めされることが可能となるように受け入れるべく形状設定されたドッキング・インターフェース、およびディジタル・カメラ内のコントロール・システムに対する信号の伝達を、その伝達される信号に基づいてディジタル・カメラのコントロール・システムに画像をディスプレイ上に呈示させる態様で生じさせるべく適合されたプロセッサを包含する。これにおいてドッキング・インターフェースは、外部表面に回転可能にマウントされ、電気コネクタは、プリンタ内において、電気インターフェースと電気コネクタの間における電気接続を維持しつつドッキング表面がハウジングに対して複数のポジションに回転することを可能にする形で接続される。
【０００９】
本発明のさらに別の態様においては、ディスプレイ・デバイスとともに使用するためのプリンタが提供される。このプリンタは、ディスプレイ・デバイスの電気コネクタと結合し、かつそれとともに電気接続を形成するべく適合された電気インターフェースを有するドッキング表面、電気接続を維持しつつ、ディスプレイ・デバイスを回転するための回転手段、およびディスプレイ・デバイスのディスプレイ上に呈示されるものに影響を及ぼす信号をディスプレイ・デバイスに送信するための駆動手段を包含する。
【発明を実施するための最良の形態】
【００１０】
図１は、本発明のプリンタ２０の第１の実施態様を示している。図１の実施態様において、プリンタ２０は、受け側媒体２４上にマーキングを施すか、またはそれ以外の画像の形成を行う印刷エンジン２２を収容するハウジング２１を包含する。印刷エンジン２２は、受け側媒体２４上に、限定ではないが、従来的な４色オフセット分版印刷またはそのほかの密着印刷、シルク・スクリーン、米国ニューヨーク州ロチェスタのイーストマン・コダック・カンパニー（Ｅａｓｔｍａｎ  Ｋｏｄａｋ  Ｃｏｍｐａｎｙ）によって販売されているネクスプレス（ＮｅｘＰｒｅｓｓ）２１００プリンタに使用されているような乾式電子写真、感熱印刷テクノロジ、ドロップ・オンデマンド・インクジェット・テクノロジ、および連続インクジェット・テクノロジを含む種々の周知のテクノロジを使用して画像を記録することが可能である。以下の考察の目的のため、印刷エンジン２２を、カラー画像を生成するタイプのものとして説明する。しかしながら、認識されることになろうが、これは必須でなく、ここで請求されている方法および装置は、白黒、グレイスケール、またはセピア調等のモノトーン画像を生成する印刷エンジン２２を用いて実施することも可能である。
【００１１】
媒体送り２６が使用されて、供給エリア２７から受け側媒体２４が取り出され、受け側媒体２４上における画像の記録を容易にするべく受け側媒体２４および／または印刷エンジン２２が互いに関して位置決めされる。媒体送り２６は、ピンチ・ローラ３０を駆動するモータ２８、モータ付きプラテン・ローラ（図示せず）、または紙またはそのほかのタイプの受け側媒体２４を移動するためのそのほかの周知のシステムを含む、プリンタ２０内において受け側媒体２４を移動するための任意数の周知のシステムを包含できる。
【００１２】
プロセッサ３４が、印刷エンジン２２および媒体送り２６を作動する。プロセッサ３４は、限定ではないが、プログラマブル・ディジタル・コンピュータ、プログラマブル・マイクロプロセッサ、プログラマブル・ロジック・プロセッサ、一連の電子回路、集積回路の形式にまとめられた一連の電子回路、または一連の離散的コンポーネントを含むことができる。プロセッサ３４は、ユーザ入力システム３６、センサ３８、ステータス表示器システム３９、メモリ４０、および通信システム５４に送信され、かつ／またはそれらから受信される入力信号に基づいてプリンタ２０を作動する。
【００１３】
ユーザ入力システム３６は、ユーザから入力を受け取り、この入力をプロセッサ３４によって使用可能な形式に変換することができる任意形式のトランスデューサまたはそのほかのデバイスを包含できる。たとえばユーザ入力システム３６は、２状態ボタン、ダイアル、キーパッド・システム、タッチ・スクリーン入力、タッチ・パッド入力、４方スイッチ、６方スイッチ、８方スイッチ、スタイラス・システム、トラックボール・システム、ジョイスティック・システム、音声認識システム、ジェスチャ認識システム、キーボード、リモート・コントロール、またはこのほかのその種のシステムを包含できる。図１に示されている実施態様においては、ユーザ入力システム３６がオプションのリモート入力コントロール５８、およびローカル入力コントロール６８ａ〜６８ｄを含むローカル入力コントロール６８を含む。
【００１４】
センサ３８はオプションであり、プリンタ２０内またはプリンタ２０を取り囲む状態を検出し、その情報を、印刷エンジン２２またはそのほかのプリンタ２０のシステムの動作を取り仕切る上でプロセッサ３４によって使用可能な形式に変換するために使用可能な光センサ、温度センサ、湿度センサ、およびそのほかのこの分野で周知のセンサを含むことができる。センサ３８は、サウンドを取り込むべく適合されたオーディオ・センサを含むことができる。またセンサ３８は、プリンタの動作の監視のために内部的に使用される位置決めおよびそのほかのセンサを含むこともできる。
【００１５】
ステータス表示器システム３９はオプションであり、通常は、有機または無機発光ダイオード（ＬＥＤ）の配列、モノクローム液晶ディスプレイ、光、オーディオ信号発生器、または類似のデバイスおよび適切なコントロール回路等の人間が認識可能な出力を生成できる何らかの形式のデバイスを包含する。図１の実施態様においては、ステータス表示器システム３９が、たとえばＬＥＤタイプの表示器とすることが可能な４つのステータス表示器３９ａ、３９ｂ、３９ｃ、および３９ｄのセットを駆動するためのシステムを包含するとして図解されている。
【００１６】
メモリ４０は、ソリッド・ステート、磁気、光、またはそのほかのデータ・ストレージ・デバイスを含む従来的なメモリ・デバイスを含むことができる。メモリ４０は、プリンタ２０内に固定されること、または取り外し可能とすることが可能である。図１の実施態様には、プリンタ２０が、ハード・ドライブ４２、光、磁気、またはそのほかのディスク・メモリ（図示せず）等の取り外し可能なディスク用のディスク・ドライブ４４、および取り外し可能なメモリ・カード等の取り外し可能メモリ４８を保持し、かつ取り外し可能メモリ４８との通信のための取り外し可能メモリ・インターフェース５０を有するメモリ・カード・スロット４６を有することが示されている。また、限定ではないが、コントロール・プログラム、ディジタル画像、およびメタ・データを含むデータを、パーソナル・コンピュータ、コンピュータ・ネットワーク、またはそのほかの、いわゆる『ワイ‐ファイ（ＷＩ‐ＦＩ）』適合メモリ・カード等のディジタル・メモリ・システムといったプリンタ２０外部のリモート・メモリ・システム５２内にストアすることも可能である。
【００１７】
図１に示されている実施態様においては、プリンタ２０が、リモート・メモリ・システム５２、リモート・ディスプレイ５６、リモート入力コントロール５８、ローカル入力コントロール６８、および／またはテレコミュニケーション・ネットワーク等のコンピュータ・ネットワーク（図示せず）との通信に使用可能な通信システム５４を有する。リモート入力コントロール５８は、限定ではないが、図１に図解されているリモート・キーボード５８ａ、リモート・マウス５８ｂ、またはリモート・コントロール・ハンドヘルド・デバイス５８ｃを含む多様な形式をとることが可能である。リモート・ディスプレイ５６および／またはリモート入力コントロール５８は、通信システム５４と、図解されているとおりに無線通信すること、または有線方式で通信することが可能である。同様に代替実施態様においては、ローカル入力コントロール６８が、多様な形式をとることが可能であり、かつ有線または無線接続を使用してプロセッサ３４に接続できる。オプションとしてローカル・ディスプレイ６６を、ローカル入力コントロール６８とともに使用するために備えることができる。通信システム５４は、その種の通信のためにどのようなフォーマットが選択された場合でもデータを通信するべくアレンジされた回路およびシステムを有することが可能であり、かつ、光信号、無線周波数信号、またはそのほかの信号の形式を使用してディスプレイ・デバイス１１０に伝達できる形式に画像およびそのほかのデータを変換する、たとえば１つまたは複数の光、無線周波数またはそのほかのトランスデューサ回路、またはそのほかのシステムを包含することが可能である。
【００１８】
プリンタ２０は、プリンタ・プロセッサ３４とディスプレイ・デバイス１１０の間における通信接続を提供することが可能であり、かつドッキング動作の間に電気エネルギがプリンタ２０からディスプレイ・デバイス１１０に流れる経路を提供する接続を含むことが可能なプリンタ電気インターフェース９０をさらに包含する。電気インターフェース９０は、それらの間における通信をもたらす任意の周知の電気インターフェース、たとえばユニバーサル・シリアル・バス（ＵＳＢ）インターフェース仕様、ＩＥＥＥ  １３９４インターフェース仕様、またはそのほかのケーブル・インターフェースまたはカード・インターフェース仕様等を使用できる。望ましい場合には、電気インターフェース９０が、データ交換のために光‐電気回路を使用することも可能である。オプションとして、プリンタ２０と被ドッキング・ディスプレイ・デバイス１１０の間における後述する通信のいくつかの部分が、ほかの方法で、たとえば無線通信によって構成されることが可能である。
【００１９】
詳細を後述するとおり、通信システム５４は、ディスプレイ・デバイス１１０と通信し、コントロール信号、データ、またはそのほかの情報をディスプレイ・デバイス１１０と交換するべく適合されている。その種の通信は、有線または無線通信スキーム、たとえばＩＥＥＥ  ８０２．１１  ＩｒＤａ、ワイ‐ファイ（Ｗｉ‐ｆｉ）、およびそのほかの無線周波数または光による無線通信のための任意の周知の標準を満たすスキーム等を使用して行うことが可能である。通信システム５４は、それが受信した信号から情報およびインストラクションをプロセッサ３４に提供する。
【００２０】
図１、２Ａ、および２Ｂに図解されているとおり、プリンタ２０は、ディスプレイ・デバイス１１０を受け入れ、かつディスプレイ・デバイス１１０のハウジング１１１と相互作用してディスプレイ・デバイス１１０を、ディスプレイ・デバイス１１０が電気インターフェース９０とインタラクションできるように位置決めするべく形状設定された接触表面１０２を有するディスプレイ・デバイス・インターフェース１００を有する。ディスプレイ・デバイス１１０は、画像ディスプレイ１１２を有する任意形式のディジタル・デバイス、電気インターフェース９０と協働してデータおよび／または電気エネルギの交換を可能にするべく適合された電気コネクタ１１６、およびディスプレイ・デバイス１１０によってプロセッサ３４から受信されたデータまたはそのほかの信号が画像ディスプレイ１１２上に表示されるものに影響を与えることを可能にするディスプレイ・デバイス・コントロール・システム１１８を包含できる。通常、ディスプレイ・デバイス１１０は、静止画像、ビデオ・クリップ、オーディオ・データ、およびそれらの組み合わせといった、プリンタ２０が使用して印刷画像を生成することが可能なディジタル画像データがストアされたディスプレイ・デバイス・メモリ１２０を有することになる。認識されることになろうが、ディスプレイ・デバイス１１０は、限定ではないが、携帯電話、米国ニューヨーク州ロチェスタのイーストマン・コダック・カンパニー（Ｅａｓｔｍａｎ  Ｋｏｄａｋ  Ｃｏｍｐａｎｙ）によって販売されているコダック・イージーシェア・ピクチャ・ビューア（Ｋｏｄａｋ  Ｅａｓｙｓｈａｒｅ  Ｐｉｃｔｕｒｅ  Ｖｉｅｗｅｒ）、または米国カリフォルニア州クパティーノのアップル・コンピュータ（Ａｐｐｌｅ  Ｃｏｍｐｕｔｅｒ）によって販売されているアイポッド（ＩＰＯＤ）等の写真閲覧デバイス、ディジタル・カメラ、および携帯情報端末を含む任意の広範多様なデバイスを包含する。
【００２１】
図１、２Ａ、２Ｂ、および３Ａ〜３Ｄに図解されている実施態様においては、ディスプレイ・デバイス１１０が、オプションのディジタル・カメラ１２４の形式で示されている。ディジタル・カメラ１２４は、上で述べたディスプレイ・デバイス１１０のコンポーネントを包含し、さらに、ユーザ入力システム１２６および画像取り込みシステム１４０を含む。この例においては、ユーザ入力システム１２６が、取り込みボタン１２８、モード・セレクタ１３０、４方コントローラ１３２、『イエス（ｙｅｓ）』ボタン１３４、『ノー（ｎｏ）』ボタン１３６、および『シェア（ｓｈａｒｅ）』ボタン１３８を含む。認識されることになろうが、ユーザ入力システム１２６は、そのほかの広範多様なユーザ入力デバイスを有することが可能である。ディジタル・カメラ１２４は、コントロール・システム１１８からの取り込み信号に応答して画像を取り込むべく適合された、レンズ・システム１４２、撮像器１４４、オーディオ取り込みシステム１４６、信号処理器１４８を有する画像取り込みシステム１４０をさらに包含する。通常、コントロール・システム１１８は、取り込みボタン１２８が押し下げられるときにその種の取り込み信号を送信する。
【００２２】
これについても認識されることになろうが、その種の電気的な接続は、プリンタ２０とディスプレイ・デバイス１１０の間における多様なインタラクションを提供するために使用することが可能であり、その結果、係合されているプリンタ２０およびディスプレイ・デバイス１１０が高度に有用な組み合わせを提供できる。たとえば、図解されている実施態様においては、プリンタ２０が画像ディスプレイを有してないが、プリンタ２０は、ディジタル・カメラ１２４に、画像ディスプレイ１１２上に呈示されるもの影響を及ぼすことが可能な信号を送信するべく適合されている。これは、画像ディスプレイ１１２が、印刷用画像の選択、画像の編集、画像へのテキストまたはそのほかの情報の追加、画像の呈示、およびそれらの類等の多様な目的のために使用されることを可能にする。この組み合わせの広範多様な応用は、共通譲渡の、ロマーノ（Ｒｏｍａｎｏ）ほかによる『ア・カラー・ディジタル・プリンタ・ハビング・ア・グラフィカル・ユーザ・インターフェース・フォア・ディスプレイイング・アンド・セレクティング・イメージズ・フロム・ア・ディジタル・ストレージ・メディウム（Ａ  ＣＯＬＯＲ  ＤＩＧＩＴＡＬ  ＰＲＩＮＴＥＲ  ＨＡＶＩＮＧ  Ａ  ＧＲＡＰＨＩＣＡＬ  ＵＳＥＲ  ＩＮＴＥＲＦＡＣＥ  ＦＯＲ  ＤＩＳＰＬＡＹＩＮＧ  ＡＮＤ  ＳＥＬＥＣＴＩＮＧ  ＩＭＡＧＥＳ  ＦＲＯＭ  Ａ  ＤＩＧＩＴＡＬ  ＳＴＯＲＡＧＥ  ＭＥＤＩＵＭ）』と題されて２０００年５月１２日に出願された米国特許出願第０９／５７０，０８９号、およびパルルスキ（Ｐａｒｕｌｓｋｉ）ほかによる『ア・プリンティング・システム・アンド・メソッド・ハビング・ア・ディジタル・プリンタ・ザット・ユーゼズ・ア・ディジタル・カメラ・イメージ・ディスプレイ（Ａ  ＰＲＩＮＴＩＮＧ  ＳＹＳＴＥＭ  ＡＮＤ  ＭＥＴＨＯＤ  ＨＡＶＩＮＧ  Ａ  ＤＩＧＩＴＡＬ  ＰＲＩＮＴＥＲ  ＴＨＡＴ  ＵＳＥＳ  Ａ  ＤＩＧＩＴＡＬ  ＣＡＭＥＲＡ  ＩＭＡＧＥ  ＤＩＳＰＬＡＹ）』と題されて２００５年２月１５日に出願された米国特許出願公開公報第２００５／０１４６６１６号の中でより詳細に述べられている。
【００２３】
プリンタ２０とディスプレイ・デバイス１１０の間におけるその種の組み合わせを使用して、そのほかの利点を提供することも可能である。たとえばプリンタ２０のプロセッサ３４は、通信システム５４および／または電気インターフェース９０を経由して、ディスプレイ・デバイス１１０の実施態様のディジタル・カメラ１２４の画像取り込みシステム１４０、オーディオ取り込みシステム１４６、および／または信号処理器１４８を、多様な目的のいずれかのために使用することができる。１つの応用においては、ディスプレイ・デバイス・メモリ１２０のメモリ容量の部分、信号処理器１４８の処理能力の一部が、プロセッサ３４によって使用され、編集、印刷、またはそのほかの目的のために画像の処理の高速化を行うことが可能であり、その結果、ディスプレイ・デバイス１１０がプリンタ２０とドッキングされると、プリンタ２０は、画像の印刷、編集、またはそのほかの処理をより高い速度レートで行うことができる。それに代えていくつかの実施態様においては、この組み合わせを、被ドッキング・ディスプレイ・デバイス１１０がないとプリンタ２０がイネーブルにならない機能をイネーブルするために使用できる。たとえば、プロセッサ３４が、高度な編集テクニックを単独で実行するべく適合されてなく、その種のタスクを、メモリ１２０および信号処理器１４８を有するディスプレイ・デバイスとの組み合わせで実行できる。
【００２４】
図１〜８の実施態様においては、ディスプレイ・デバイス・インターフェース１００が、ハウジング２１に調整可能に結合される。特に、この実施態様においてディスプレイ・デバイス・インターフェース１００は、そのいくつかの例が図４〜８に図解されているが、電気インターフェース９０、電気コネクタ１１６、およびディスプレイ・デバイス１１０の間における電気接続も維持しつつ、画像ディスプレイ１１２をハウジング２１に対して複数のポジションで配向できる態様で回転可能にハウジング２１に結合される。その種の回転は、図４〜８に図解されているポジションの範囲にわたってハウジング２１の連続的な可変位置決めを可能にするか、またはその種の範囲内の選択されたポジションに限られた位置決めを可能にすることができる。認識されることになろうが、図２〜８に図解されているポジションの範囲は例示だけであり、図４〜８のプリンタ２０は、望ましい動きの範囲のうちの任意の範囲を提供するべく適合可能である。
【００２５】
図１〜８の実施態様において、プロセッサ３４と電気インターフェース９０の間に、容易に再調整可能な何らかの形式の電気的リンク１５０を提供すると有用となり得ることが認識されるであろう。１つの実施態様においては、その種の電気的コネクタが可撓性リボンを包含できる。それに代えて電気的リンク１５０が、スリップ・リング、トラック、ワイヤ、光学接続、およびそれらの類等のほかの従来的な構造を包含することも可能である。
【００２６】
図１〜８の実施態様においては、ローカル入力コントロール６８および表示器システム３９のステータス表示器３９ａ〜３９ｄがディスプレイ・デバイス・インターフェース１００上に配置されて図解されている。これは、ローカル入力コントロール６８が、その種のコントロールにユーザがより容易にアクセスできるように、ディスプレイ・デバイス・インターフェース１００と調和して移動することを可能にする。しかしながら、ディスプレイ・デバイス・インターフェース１００上にローカル入力コントロール６８を配置しなくても類似の効果を提供することは可能である。
【００２７】
図９および１０は、プリンタ２０の別の実施態様を示している。図９に示されているとおり、プリンタ２０は、ハウジング２１に固定されてディスプレイ・デバイス・インターフェース１００とともに移動しないローカル入力コントロール６８ａ〜６８ｄおよびステータス表示器３９ａ〜３９ｄを有する。この実施態様においては、ユーザが、それらのコントロールおよび表示器がユーザから離れる方向に面するようにプリンタ２０を位置決めした場合に、ユーザがローカル入力コントロール６８ａ〜６８ｄにアクセスすること、およびステータス表示器３９ａ〜３９ｄのステータスを見ることが困難になることがあり得る。この問題は、ハウジング１０に対するポジションの範囲のどこからでも画像ディスプレイ１１２が見られるように、被ドッキング・ディスプレイ・デバイス１１０を回転する能力をユーザに提供することによって解決できる。より詳細に述べれば、図９および１０のプリンタ２０は、ディスプレイ・デバイス１１０の画像ディスプレイ１１２の部分を使用して、ステータス表示器３９ａ〜３９ｄによって提供される情報と同一の情報を提供するステータス表示器を呈示する。これによれば、ステータス表示器３９ａ〜３９ｄを物理的に可動とすることを必要とせずに、ハウジング２１に対する任意の方向からステータス表示器３９ａ〜３９ｄによって提示される情報が見えるようにすることが可能である。
【００２８】
同様に、プリンタ２０は、ディスプレイ・デバイス１１０がプリンタ２０にドッキングされているとき、ディスプレイ・デバイス１１０のボタン１２８および１３４〜１３８のいくつかをローカル・ユーザ入力コントロール６８ａ〜６８ｄのための代用として使用することによって、調整可能に配置されるローカル・ユーザ入力コントロール６８ａ〜６８ｄの等価物も提供することができる。より明確に述べれば、認識されることになろうが、ディスプレイ・デバイス１１０が回転されるとき、ディスプレイ・デバイス１１０のボタン１２８および１３４〜１３８も回転する。したがって、プロセッサ３４およびディスプレイ・デバイス１１０は、プロセッサ３４がローカル入力コントロール６８ａ〜６８ｄの１つと同じ態様で解釈できる信号をユーザ入力システム１２６が提供するようにディスプレイ・デバイス１１０上のボタン１２８および１３４〜１３８のうちの少なくとも１つが作動できる少なくとも１つのドッキング・モードで動作できる。図１０に図解されているとおり、ディスプレイ・デバイス１１０は、固定ポジション・タイプのローカル入力コントロール６８ａ〜６８ｄに類似した機能の実行にディスプレイ・デバイス１１０のいずれのコントロールが使用できるかを示すグラフィック画像を画像ディスプレイ１１２上に呈示できる。
【００２９】
プロセッサ３４は、たとえばユーザ入力システム３６によってプロセッサ３４にその種の態様で動作するように指示されたときに、このタイプのユーザ・インタラクションを生じさせるべく適合できる。それに代えてプロセッサ３４が、その種のインタラクションが適切であることをセンサ３８からの信号が示すときに、自動的にこのタイプのユーザ・インタラクションを生じさせることもできる。たとえばセンサ３８が、ディスプレイ・デバイス・インターフェース１００の位置を追跡することが可能であるか、またはそれ以外に、ディスプレイ・デバイス・インターフェース１００が、ユーザがローカル入力コントロール６８ａ〜６８ｄに対する容易なアクセスを有していないか、またはステータス表示器３９ａ〜３９ｄを容易に見ることができないおそれがあることを示唆する態様で位置決めされていることを検知可能であり、かつ信号をプロセッサ３４に提供可能な従来設計の位置センサ（図示せず）を含むことができる。提供された信号からプロセッサ３４が、自動的に、ユーザがローカル入力コントロール６８ａ〜６８ｄに対する容易なアクセスを有していないか、またはステータス表示器３９ａ〜３９ｄを容易に見ることができないおそれがあることを示唆する態様でディスプレイ・デバイス・インターフェース１００が位置決めされていると決定すると、プロセッサ３４は、オプションでディスプレイ・デバイス１１０を、任意のローカル入力コントロール６８ａ〜６８ｄまたはステータス表示器３９ａ〜３９ｄの仮想的な等価物１５２を提供するべく意図された態様で動作させることができる。図９および１０に図解されている実施態様においては、これが、作動されると同一の動作を実行することができるディジタル・カメラ１２４のユーザ入力システム１２６の部分を識別するか、またはたとえば仮想的な等価物１５２または画像ディスプレイ１１２を提供することによって表示器の状態を表すことが意図された見かけを有することになる画像ディスプレイの異なる部分を識別するアイコン１５４および１５６を伴う。画像ディスプレイ１１２が、タッチ・ディスプレイを包含する場合には、必要に応じてローカル・コントロールの仮想的な等価物１５２を画像ディスプレイ１１２上に呈示することが可能であり、仮想的な等価物１５２に関連付けされた画像ディスプレイ１１２の部分との接触が検知され、プリンタ２０のための入力として使用されることが可能になる。
【００３０】
図１１、１２、および１３は、プリンタ２０の別の実施態様を示している。この実施態様においては、調整表面１６０がハウジング２１上に提供される。調整表面１６０もまた、ハウジングに関して移動可能にマウントされ、コントロール６８ａ〜６８ｄおよび／またはステータス表示器３９ａ〜３９ｄのポジションがディスプレイ・デバイス・インターフェース１００および外部ハウジング２１に関して調整可能となり、システムのためのコントロールの配置においてユーザにより高い柔軟性を提供できるように、少なくともローカル入力コントロール６８のうちのいくつか、および／またはステータス表示器３９ａ〜３９ｄのうちのいくつかが調整表面１６０上に配置される。この実施態様においては、配置されるディスプレイ・デバイス・インターフェース１００が回転軸Ａ周りに回転可能に外部ハウジングにマウントされ、調整表面１６０が概略でこの回転軸Ａ周りに回転する環状リング上に位置決めされる。しかしながらこれが必須ではなく、別の実施態様においては、ディスプレイ・デバイス・インターフェース１００がディスプレイ・デバイス・インターフェース１００の１つまたは複数の移動軸と独立の１つまたは複数の軸に沿って移動するべく適合されることは可能である。
【００３１】
図１４および１５は、プリンタ２０のさらに別の実施態様の端面図を示しており、ここではプリンタ２０が、水平寸法、垂直寸法、および奥行き寸法を有し、前記ディスプレイ・デバイス受け入れエリアが、水平、垂直、および奥行き寸法のうちの少なくとも２つの範囲から画像ディスプレイ１１２を見ることができるようにディスプレイ・デバイス・インターフェース１００を回転可能に位置決めするべく適合される。特に図１４および１５の実施態様には、ディスプレイ・デバイス・インターフェース１００が、画像ディスプレイ１１２の視角におけるバリエーションを可能にするべく調整可能な接触表面１０２を有することが図解されている。それに代えて、ディスプレイ・デバイス・インターフェース１００に対する水平、垂直、および奥行き寸法のうちの少なくとも２つに沿ってディスプレイ・デバイス・インターフェース１００の可変ポジションを提供する従来的な構造を使用できる。
【図面の簡単な説明】
【００３２】
【図１】プリンタおよびディスプレイ・デバイス・インターフェースのブロック図である。
【図２Ａ】それぞれ、図１の実施態様の平面図および側面図である。
【図２Ｂ】それぞれ、図１の実施態様の平面図および側面図である。
【図３Ａ】ディスプレイ・デバイスのディジタル・カメラ実施態様の外観図である。
【図３Ｂ】ディスプレイ・デバイスのディジタル・カメラ実施態様の外観図である。
【図３Ｃ】ディスプレイ・デバイスのディジタル・カメラ実施態様の外観図である。
【図３Ｄ】ディスプレイ・デバイスのディジタル・カメラ実施態様の外観図である。
【図４】組み合わされたプリンタおよびディスプレイ・デバイスを種々のポジションにおいて示した平面図である。
【図５】組み合わされたプリンタおよびディスプレイ・デバイスを種々のポジションにおいて示した平面図である。
【図６】組み合わされたプリンタおよびディスプレイ・デバイスを種々のポジションにおいて示した平面図である。
【図７】組み合わされたプリンタおよびディスプレイ・デバイスを種々のポジションにおいて示した平面図である。
【図８】組み合わされたプリンタおよびディスプレイ・デバイスを種々のポジションにおいて示した平面図である。
【図９】被ドッキング・ディスプレイ・デバイスを伴うプリンタの別の実施態様を示した平面図である。
【図１０】被ドッキング・ディスプレイ・デバイスを伴うプリンタの別の実施態様を示した平面図である。
【図１１】被ドッキング・ディスプレイ・デバイスを伴うプリンタの別の実施態様を示した平面図である。
【図１２】被ドッキング・ディスプレイ・デバイスを伴うプリンタの別の実施態様を示した平面図である。
【図１３】被ドッキング・ディスプレイ・デバイスを伴うプリンタの別の実施態様を示した平面図である。
【図１４】被ドッキング・ディスプレイ・デバイスを伴うプリンタの別の実施態様を示した平面図である。
【図１５】被ドッキング・ディスプレイ・デバイスを伴うプリンタの別の実施態様を示した平面図である。
【符号の説明】
【００３３】
２０  プリンタ、２１  ハウジング、２２  印刷エンジン、２４  受け側媒体、２６  媒体送り、２７  供給エリア、２８  モータ、３０  ピンチ・ローラ、３４  プロセッサ、３６  ユーザ入力システム、３８  センサ、３９  表示器システム、３９ａ〜ｄ  ステータス表示器、４０  メモリ、４２  ハード・ドライブ、４４  ディスク・ドライブ、４６  メモリ・カード・スロット、４８  取り外し可能メモリ、５０  メモリ・カード・インターフェース、５２  リモート・メモリ・システム、５４  通信システム、５６  リモート・ディスプレイ、５８  リモート入力コントロール、５８ａ  リモート・キーボード、５８ｂ  リモート・マウス、５８ｃ  リモート・コントロール・ハンドヘルド・デバイス、６６  ローカル・ディスプレイ、６８  ローカル入力コントロール、６８ａ〜６８ｄ  ローカル入力コントロール、９０  電気インターフェース、１００  ディスプレイ・デバイス・インターフェース、１０２  接触表面、１１０  ディスプレイ・デバイス、１１１  ハウジング、１１２  画像ディスプレイ、１１６  電気コネクタ、１１８  ディスプレイ・デバイス・コントロール・システム、１２０  ディスプレイ・デバイス・メモリ、１２４  ディジタル・カメラ、１２６  ユーザ入力システム、１２８  取り込みボタン、１３０  モード・セレクタ、１３２  ４方コントローラ、１３４  『イエス（ｙｅｓ）』ボタン、１３６  『ノー（ｎｏ）』ボタン、１３８  『シェア（ｓｈａｒｅ）』ボタン、１４０  画像取り込みシステム、１４２  レンズ・システム、１４４  撮像器、１４６  オーディオ取り込みシステム、１４８  信号処理器、１５０  電気的リンク、１５２  仮想的な等価物、１５４  アイコン、１５６  アイコン、１６０  調整表面。
【図１】
2009520615.tif 000003
【図２Ａ】
2009520615.tif 000004
【図２Ｂ】
2009520615.tif 000005
【図３Ａ】
2009520615.tif 000006
【図３Ｂ】
2009520615.tif 000007
【図３Ｃ】
2009520615.tif 000008
【図３Ｄ】
2009520615.tif 000009
【図４】
2009520615.tif 000010
【図５】
2009520615.tif 000011
【図６】
2009520615.tif 000012
【図７】
2009520615.tif 000013
【図８】
2009520615.tif 000014
【図９】
2009520615.tif 000015
【図１０】
2009520615.tif 000016
【図１１】
2009520615.tif 000017
【国際調査報告】
2009520615.tif 000018
2009520615.tif 000019
2009520615.tif 000020